(57)【要約】【課題】主梁部材と副梁部材との連結状態を確実にする。【解決手段】主梁部材２０の上端面２３ａと押さえナット１２との間に、主梁部材２０の幅方向両側に設けられた第１凹溝２５にそれぞれ入れられた副梁部材３０の第１係止部３８を少なくとも含む部分を下方に押さえる押さえ具１４を配し、その押さえ具１４を押さえナット１２で締め付けることにより、第１凹溝２５内に該当するテーパー面を介して第１係止部３８を押し込むと共に主梁部材２０の幅方向両側に設けられた第２凹溝２６内に該当するテーパー面を介して副梁部材３０の第２係止部３７を押し込むように構成されている。【選択図】　　　図１
2004076339.tif 000002
【特許請求の範囲】
【請求項１】
天井パネルの縁部を支持するための天井パネル用梁構造であって、
ルーム天井に吊り下げられる吊り下げ部材と、
該吊り下げ部材を介して吊り下げられる長尺のもので、幅方向に間隔をあけて並設される主梁部材と、
該主梁部材の隣り合うもの同士に両端部が連結される副梁部材とを備え、
上記吊り下げ部材は、下端部が主梁部材に連結され、かつ押さえナットが上下動可能に設けられたもので、
上記主梁部材は、上端面の幅方向両側に上向き開口の第１凹溝が長さ方向に沿って設けられ、該上端面よりも下方の幅方向両側の側面にも上向き開口の第２凹溝が長さ方向に沿って設けられ、
上記副梁部材は、両端部のそれぞれに、上記第１凹溝に入って係止される下向きに突出した第１係止部と、上記第２凹溝に入って係止される下向きに突出した第２係止部とを有し、各第１係止部がその少なくとも一部を押さえナットと重なるように設けられ、
上記第１凹溝の外側の側面とこれに係止される第１係止部の側面とはテーパー面に形成され、かつ、上記第２凹溝の外側の側面とこれに係止される第２係止部の側面とはテーパー面に形成されており、主梁部材の上端面と上記押さえナットとの間に、幅方向両側の第１凹溝にそれぞれ入れられた両第１係止部を少なくとも含む部分を下方に押さえる押さえ具を配し、該押さえ具を押さえナットで締め付けることにより、第１凹溝内に該当するテーパー面を介して第１係止部を押し込むと共に第２凹溝内に該当するテーパー面を介して第２係止部を押し込むように構成されていることを特徴とする天井パネル用梁構造。
【請求項２】
前記副梁部材は、第１係止部および第２係止部をそれぞれ有する両端部と、これらの間の中間部とが別部材にて構成され、各端部は第２係止部が設けられた部分を４面で囲まれた閉塞断面となし、その閉塞断面の下面に幅方向全面にわたり上記第２係止部が形成されていることを特徴とする請求項１に記載の天井パネル用梁構造。
【請求項３】
前記主梁部材は、副梁部材と連結された状態で該副梁部材の上面よりも高い上面を有するように形成され、前記押さえ具はその上側に飛び出した主梁部材の上端面の隅部に引っ掛かる垂下部を有し、該垂下部が回り止め手段として機能するように構成されていることを特徴とする請求項１または２に記載の天井パネル用梁構造。
【請求項４】
前記主梁部材と副梁部材とが、連結された状態で各上面がほぼ同一高さに形成され、前記押さえ具は主梁部材の両側に位置する副梁部材の各端部の上面を押さえる長さ寸法を有し、該各端部の上方の２箇所がビス止めされることを特徴とする請求項１または２に記載の天井パネル用梁構造。
【請求項５】
押さえ具には回り止め用の凹部または凸部が設けられ、一方、副梁部材の各端部には上記凹部または凸部に填る凹部または凸部が形成されていることを特徴とする請求項４に記載の天井パネル用梁構造。
【発明の詳細な説明】
【０００１】
【発明の属する技術分野】
本発明は、半導体製造工場等で採用されるクリーンルームなどに用いられる天井パネルの縁部を支持するための天井パネル用梁構造に関する。
【０００２】
【従来の技術】
上述した天井パネル用梁構造として、図９（分解斜視図）および図１０（正面断面図）に示すものが知られている。この梁構造は、同一断面形状に形成された長尺の主梁部材１０１を、天井に上端が取付けらけれた吊り下げ部材（図示せず）を介して吊り下げ、その主梁部材１０１に、副梁部材１０２の端部に取付けた継手部材１０３を連結する構成となっている。
【０００３】
以下に、より詳細に説明する。副梁部材１０２の端部に継手部材１０３をねじ１０４、１０５により固定し、継手部材１０３の先端下部に設けた係合凸条１０６を、主梁部材１０１に設けた係合溝１０７に係合させ、継手部材１０３を主梁部材１０１の上部片１０８にねじ１０９にて止めるように構成されている。
【０００４】
【発明が解決しようとする課題】
しかしながら、従来の梁構造による場合は、主梁部材１０１と継手部材１０３との連結は、ねじ１０９により行われ、そのねじ１０９が取付けられる継手部材１０３上の位置が、係合凸条１０６と係合溝１０７の係合位置からずれているため、ねじ１０９の締め付けを強く行うと、その締め付け部分から離れた位置では上方に浮き上がり、係合凸条１０６と係合溝１０７の係合状態、つまり主梁部材１０１と副梁部材１０２との連結状態が十分でなくなるという虞があった。また、継手部材１０３がアングル状の板からなるため、折れ曲がり易く、主梁部材１０１と副梁部材１０２との連結強度を十分に確保することが困難であると共に、上述した係合凸条１０６と係合溝１０７の係合状態がより悪化するという難点がある。
【０００５】
本発明は、このような従来技術の課題を解消するためになされたもので、主梁部材と副梁部材との連結状態を確実にすることができる天井パネル用梁構造を提供することを目的とする。
【０００６】
また、本発明の他の目的は、主梁部材と副梁部材との連結強度を十分に確保することができる天井パネル用梁構造を提供することである。
【０００７】
【課題を解決するための手段】
本発明の天井パネル用梁構造は、天井パネルの縁部を支持するための天井パネル用梁構造であって、ルーム天井に吊り下げられる吊り下げ部材と、該吊り下げ部材を介して吊り下げられる長尺のもので、幅方向に間隔をあけて並設される主梁部材と、該主梁部材の隣り合うもの同士に両端部が連結される副梁部材とを備え、上記吊り下げ部材は、下端部が主梁部材に連結され、かつ押さえナットが上下動可能に設けられたもので、上記主梁部材は、上端面の幅方向両側に上向き開口の第１凹溝が長さ方向に沿って設けられ、該上端面よりも下方の幅方向両側の側面にも上向き開口の第２凹溝が長さ方向に沿って設けられ、上記副梁部材は、両端部のそれぞれに、上記第１凹溝に入って係止される下向きに突出した第１係止部と、上記第２凹溝に入って係止される下向きに突出した第２係止部とを有し、各第１係止部がその少なくとも一部を押さえナットと重なるように設けられ、上記第１凹溝の外側の側面とこれに係止される第１係止部の側面とはテーパー面に形成され、かつ、上記第２凹溝の外側の側面とこれに係止される第２係止部の側面とはテーパー面に形成されており、主梁部材の上端面と上記押さえナットとの間に、幅方向両側の第１凹溝にそれぞれ入れられた両第１係止部を少なくとも含む部分を下方に押さえる押さえ具を配し、該押さえ具を押さえナットで締め付けることにより、第１凹溝内に該当するテーパー面を介して第１係止部を押し込むと共に第２凹溝内に該当するテーパー面を介して第２係止部を押し込むように構成されていることを特徴とする。
【０００８】
本発明の天井パネル用梁構造による場合には、吊り下げ部材の下端部を主梁部材に連結し、その吊り下げ部材が連結された主梁部材部分の幅方向両側に副梁部材の片方の端部を取付け、第１凹溝内に第１係止部を、第２凹溝内に第２係止部を入れる。かかる状態で、押さえナットを副梁部材の上から締め付けていくと、押さえ具が両第１係止部を下方に押し、第１凹溝内に該当するテーパー面を介して第１係止部を押し込むと共に第２凹溝内に該当するテーパー面を介して第２係止部を押し込んでいく。このとき、各第１係止部の少なくとも一部が押さえナットと重なっているので、締め付け具合に拘わらず、第１凹溝への第１係止部の係止状態と第２凹溝への第２係止部の係止状態とが一定に安定したものとなる。よって、主梁部材と副梁部材との連結状態を確実にすることができる。また、１つの押さえ具で、同時に２つの副梁部材の片側端部それぞれを主梁部材に連結させることができる。
【０００９】
本発明の天井パネル用梁構造において、前記副梁部材は、第１係止部および第２係止部をそれぞれ有する両端部と、これらの間の中間部とが別部材にて構成され、各端部は第２係止部が設けられた部分を４面で囲まれた閉塞断面となし、その閉塞断面の下面に幅方向全面にわたり上記第２係止部が形成されている構成とすることができる。
【００１０】
この構成による場合には、４面で囲まれた閉塞断面の下面に第２係止部が形成されているので、折れ曲がり難くすることができ、主梁部材と副梁部材との連結強度を十分に確保することが可能となる。
【００１１】
本発明の天井パネル用梁構造において、前記主梁部材は、副梁部材と連結された状態で該副梁部材の上面よりも高い上面を有するように形成され、前記押さえ具はその上側に飛び出した主梁部材の上端面の隅部に引っ掛かる垂下部を有し、該垂下部が回り止め手段として機能するように構成することができる。
【００１２】
この構成による場合には、押さえ具の垂下部が主梁部材の上端面の隅部に引っ掛かるので、押さえナットを締め付けていくときに押さえ具が連れ回りせず、作業性の向上が図れる。
【００１３】
本発明の天井パネル用梁構造において、前記主梁部材と副梁部材とが、連結された状態で各上面がほぼ同一高さに形成され、前記押さえ具は主梁部材の両側に位置する副梁部材の各端部の上面を押さえる長さ寸法を有し、該各端部の上方の２箇所がビス止めされる構成とすることができる。
【００１４】
この構成による場合には、押さえ具の押さえナットを挟む両側２箇所がビス止めされるので、押さえ具の端部の浮き上がりを抑制することが可能となり、これにより第１凹溝への第１係止部の係止状態と第２凹溝への第２係止部の係止状態とがより安定したものになる。
【００１５】
本発明の天井パネル用梁構造において、押さえ具には回り止め用の凹部または凸部が設けられ、一方、副梁部材の各端部には上記凹部または凸部に填る凹部または凸部が形成されている構成とすることができる。
【００１６】
この構成による場合には、押さえ具の凹部または凸部が、副梁部材の各端部の凹部または凸部に填って拘束され、押さえナットを締め付けていくときに押さえ具が連れ回りせず、作業性の向上が図れる。
【００１７】
【発明の実施の形態】
以下、本発明の実施形態を具体的に説明する。
【００１８】
（第１実施形態）
図１は本発明の第１実施形態に係る天井パネル用梁構造の連結部分を示す正面図であり、図２はその天井パネル用梁構造の連結部分を示す平面図、図３はその天井パネル用梁構造を示す分解斜視図である。
【００１９】
この天井パネル用梁構造１は、クリーンルームの天井に採用されていて、天井パネル２の縁部を支持するものであり、上記天井に吊り下げられる吊り下げ部材１０と、吊り下げ部材１０を介して吊り下げられる長尺のもので、幅方向（図３のＸ方向）に間隔をあけて並設される主梁部材２０と、主梁部材２０の隣り合うもの同士（図１〜図３には片方のみ表している）に両端部が連結される副梁部材３０とを備える。
【００２０】
上記吊り下げ部材１０は、少なくとも下端部にねじ１１ａが設けられた棒状部材１１を有し、その棒状部材１１の下端部に押さえナット１２と連結用ナット１３が螺合されるもので、押さえナット１２と連結用ナット１３の間には、例えば金属板を加工してなる押さえ具１４が取付けられる。押さえ具１４は、両端に垂下部１４ａが形成されている。
【００２１】
上記主梁部材２０は、例えば押出し成形等により製造されたアルミニウム等の金属製のもので、下側から下部溝部２１、中部空洞部２２および上部溝部２３を有し、副梁部材３０と連結された状態で副梁部材３０の上面よりも高い上面を有するように形成されている。下部溝部２１の下面開口２１ａには、例えば樹脂製のカバー３が取付けられる。上部溝部２３の上端面２３ａには、棒状部材１１を通す貫通長孔２４が長手方向に形成されていて、貫通長孔２４は押さえナット１２と連結用ナット１３とで挟まれる。また、上端面２３ａの上には、押さえナット１２で下側に押し付けられた状態で、押さえ具１４が配される。
【００２２】
上端面２３ａの幅方向（Ｘ方向）両側には、上向きに開口した第１凹溝２５が長さ方向（図３のＹ方向）に沿って設けられ、主梁部材２０の側面であって、下部溝部２１と中部空洞部２２の連結段差部には、幅方向（Ｘ方向）両側に上向きに開口した第２凹溝２６が長さ方向（Ｙ方向）に沿って設けられている。上記第１凹溝２５の側面２５ａおよび第２凹溝２６の外側側面２６ａは、開口側が内奥側よりも広幅となった所定角度のテーパー面となっている。また、上端面２３ａの幅方向寸法は、前記押さえ具１４の両端に設けられた垂下部１４ａ同士の離隔寸法とほぼ一致しており、押さえ具１４は、垂下部１４ａを主梁部材２０の上部側面に沿うように上端面２３ａの上に配設される。
【００２３】
上記副梁部材３０は、両端部３１と、これらの間の中間部３２とが別部材にて構成される。中間部３２は、例えば押出し成形等により製造されたアルミニウム等の金属製のもので、図４に示すように下側から下部溝部３３および上部溝部３４を有する。下部溝部３３の下部開口は、その幅寸法を、主梁部材２０の下部溝部２１における下面開口２１ａの幅寸法と同一に設定されていて、前記カバー３と同一のものが取付けられる。
【００２４】
上部溝部３４の両端には、各端部３１が固定される。この端部３１は、例えば押出し成形等により製造されたアルミニウム等の金属製のもので、継手として機能し、図５に示すように左右側面側（Ｙ方向側）が開口した形状に形成されており、一端側（図５（ａ）の右側）は上部溝部３４の内部に挿入されてビス止めされる固定部３５が設けられ、その固定部３５よりも他端側は、下面と上面とこれらの間の２側面の４面で囲まれた閉塞断面３６となっており、閉塞断面３６の下面には、上記第２凹溝２６に入って係止される下向きに突出した第２係止部３７が形成されている。第２係止部３７の形成範囲は、閉塞断面３６の下面の幅方向全面にわたっている。
【００２５】
閉塞断面３６の上面には、上方に突出した起立部３９Ａが一体的に設けられていて、その起立部３９Ａの上部には、上記第１凹溝２５に入って係止される下向きに突出した第１係止部３８が形成されている。第１係止部３８は、その一部を押さえナット１２と重なるように設定されている。つまり、主梁部材２０の幅方向両側の第１凹溝２５における貫通長孔２４を挟んで対向する対向部間の離隔距離Ｌ（図１参照）が、棒状部材１１の直径にほぼ等しくなるように設定されている。また、第１係止部３８の側面３８ａは、第１凹溝２５の側面２５ａに当接するもので、所定角度のテーパー面となっており、第２係止部３７の側面３７ａは、第２凹溝２６の外側側面２６ａに当接するもので、所定角度のテーパー面となっている。
【００２６】
副梁部材３０の組立は、端部３１の固定部３５を、上部溝部３４の内部に挿入し、下側からと上側からビス３９で止めることで、中間部３２の両側に端部３１が取付けられる。なお、中間部３２と端部３１とは、押出し成形による場合の押出し方向と、中間部３２に対する端部３１の取付け方向とが異なるので、別部材としている。
【００２７】
次に、かかる梁構造の連結手順につき説明する。
【００２８】
クリーンルームの天井に、吊り下げ部材１０の棒状部材１１を、前後左右方向に所定の間隔で吊り下げ、各棒状部材１１の下端部のねじ１１ａ形成部分に、押さえナット１２、押さえ具１４および連結用ナット１３を取付ける。
【００２９】
続いて、主梁部材２０の上部溝部２３の貫通長孔２４に端面側から棒状部材１１を通し、かつ上部溝部２３の内部に連結用ナット１３を入れて連結することで、主梁部材２０を吊り下げる。主梁部材２０の吊り下げは、主梁部材２０の幅方向に一定間隔をあけて並設状態となるように行う。なお、連結用ナット１３は、上部溝部２３の内部で回らないように矩形状に形成されるとともに寸法設定されている。
【００３０】
次に、隣り合う２つの主梁部材２０に対し、副梁部材３０の両側にそれぞれ設けられた第１係止部３８および第２係止部３７を、主梁部材２０の第１凹溝２５および第２凹溝２６に入れる。これにより、２つの主梁部材２０により副梁部材３０が支持されて宙づり状態となり、かつ共に所定角度のテーパー面となっている第１係止部３８の側面３８ａと第１凹溝２５の側面２５ａとが当接し、同様の第２係止部３７の側面３７ａと第２凹溝２６の外側側面２６ａとが当接する。
【００３１】
次に、上記２つの主梁部材２０の片方に対し、まだ副梁部材３０を取付けていない側にも、前同様にして副梁部材３０を取付け、片方の主梁部材２０の両側に副梁部材３０を配設する。
【００３２】
しかる後、押さえ具１４を主梁部材２０の上端面２３ａに、垂下部１４ａが主梁部材２０の上部側面に沿うように被せ、押さえナット１２を締め付けていく。これにより、主梁部材２０の幅方向両側に設けられた各第１凹溝２５内に、該当するテーパー面２５ａ、３８ａを介して各副梁部材３０の第１係止部３８が押し込まれると共に、主梁部材２０の幅方向両側に設けられた各第２凹溝２６内に、該当するテーパー面２６ａ、３７ａを介して各副梁部材３０の第２係止部３７が押し込まれる。このとき、各第１係止部３８の一部（Ｘ方向の一部であってＹ方向の一部）が押さえナット１２と重なっているので、締め付け具合に拘わらず、第１凹溝２５への第１係止部３８の係止状態と、第２凹溝２６への第２係止部３７の係止状態とが一定に安定したものとなる。よって、本実施形態による場合には、主梁部材２０と副梁部材３０との連結状態を確実にすることができる。また、１つの押さえ具１４で、同時に２つの副梁部材３０の片側端部それぞれを主梁部材２０に連結させることができる。なお、天井パネル２は、図１及び図２に示すように主梁部材２０の第２凹溝２６の外側に水平に設けられたパネル載置部２０ａと、これと同一高さにされる副梁部材３０の水平なパネル載置部３０ａとの上に、天井パネル２の縁部が載置されて支持される。
【００３３】
また、本実施形態による場合には、下面と上面とこれらの間の２側面の４面で囲まれた閉塞断面３６の下面に第２係止部３７が形成されているので、第２係止部３７の近傍部分を折れ曲がり難くすることができ、主梁部材２０と副梁部材３０との連結強度を十分に確保することが可能となる。
【００３４】
また、本実施形態による場合には、押さえ具１４の垂下部１４ａが主梁部材２０の上端面２３ａの隅部に引っ掛かるので、押さえナット１２を締め付けていくときに押さえ具１４が連れ回りしないようにでき、作業性の向上を図ることが可能となる。
【００３５】
（第２実施形態）
図６は本発明の第２実施形態に係る天井パネル用梁構造の連結部分を示す正面図であり、図７はその天井パネル用梁構造の連結部分を示す平面図である。これら図６および図７においては、図１および図２と同一部分には同一符番を付している。
【００３６】
第２実施形態では、主梁部材４０と押さえ具５０と副梁部材６０とが、第１実施形態とは構成を異ならせてある。主梁部材４０は、第１実施形態で用いた副梁部材３０とほぼ同じ高さのものを用い、押さえ具５０は主梁部材４０の両側に位置する副梁部材６０の各端部の上面を押さえる長さ寸法を有し、副梁部材６０は第１係合部の箇所に段差部が設けられている。なお、吊り下げ部材１０は、第１実施形態と同様の構成のものを用いている。
【００３７】
まず、第２実施形態の主梁部材４０に関し、第１実施形態の主梁部材２０と異なる箇所を説明する。この主梁部材４０は、主梁部材２０の中部空洞部２２が省略されていて、下側から下部溝部４１および上部溝部４２を有し、副梁部材６０と連結された状態で副梁部材６０の上面とほぼ同じ程度の高さの上面を有するように形成されている。
【００３８】
第２実施形態の副梁部材６０は、継手として機能する両端部６１と、これらの間に設けられる中間部６２とを有し、各端部６１は、図８に示すように、閉塞断面３６の上面に第１係合部３８を直接設けた構成となっており、しかも第１係合部３８の部分に後述する凸部５１に填る凸部６２が形成されている。
【００３９】
第２実施形態の押さえ具５０は、上述したように、主梁部材４０の両側に位置する副梁部材６０の各端部６１の上方部分を押さえる長さ寸法を有し、かつ、主梁部材４０の上側部分に、上側に突出した回り止め用の凸部５１が形成されており、別部材からなる中間部５２の両側の各端部５１の上方の２箇所が、固定部３５の取付けを兼ねるビス３９で止められる構成となっている。
【００４０】
この第２実施形態の梁構造による場合には、主梁部材４０の両側に副梁部材６０を配設し、しかる後に押さえ具５０を主梁部材４０の上端面２３ａおよび副梁部材６０の端部の上に被せ、押さえナット１２を締め付けていく。これにより、主梁部材４０の幅方向両側に設けられた各第１凹溝２５内に、該当するテーパー面２５ａ、３８ａを介して各副梁部材６０の第１係止部３８が押し込まれると共に、主梁部材４０の幅方向両側に設けられた各第２凹溝２６内に、該当するテーパー面２６ａ、３７ａを介して各副梁部材６０の第２係止部３７が押し込まれる。このとき、第１実施形態と同様に各第１係止部３８の一部が押さえナット１２と重なっているので、締め付け具合に拘わらず、第１凹溝２５への第１係止部３８の係止状態と、第２凹溝２６への第２係止部３７の係止状態とが一定に安定したものとなる。よって、第２実施形態による場合にも、主梁部材４０と副梁部材６０との連結状態を確実にすることができる。また、１つの押さえ具５０で、同時に２つの副梁部材６０の片側端部それぞれを主梁部材４０に連結させることができる。なお、天井パネル２は、図６及び図７に示すように主梁部材４０のパネル載置部２０ａと、これと同一高さにされる副梁部材６０のパネル載置部３０ａとの上に、天井パネル２の縁部が載置されて支持される。
【００４１】
また、第２実施形態による場合にも、下面と上面とこれらの間の２側面の４面で囲まれた閉塞断面３６の下面に第２係止部３７が形成されているので、第２係止部３７の近傍部分を折れ曲がり難くすることができ、主梁部材２０と副梁部材３０との連結強度を十分に確保することが可能となる。
【００４２】
また、第２実施形態による場合には、押さえ具５０の押さえナット１２を挟む両側２箇所がビス止めされるので、押さえ具５０の端部の浮き上がりを抑制することが可能となり、これにより第１凹溝２５への第１係止部３８の係止状態と第２凹溝２６への第２係止部３７の係止状態とがより安定したものになる。
【００４３】
また、第２実施形態による場合には、押さえ具５０の凸部５１に、副梁部材６０の各端部の凸部６２が填って拘束され、押さえナット１２を締め付けていくときに押さえ具５０が連れ回りしないので、作業性を向上させ得る。
【００４４】
なお、上述した第２実施形態においては、押さえ具５０に回り止め用の凸部５１を設け、副梁部材６０の各端部に上記凸部５１に填る凸部６２を形成しているが、本発明はこれに限らず、押さえ具５０に回り止め用の凹部を設け、副梁部材６０の各端部に上記凹部に填る凹部を形成してもよい。
【００４５】
なお、上述した第１、第２実施形態では、第１係止部の一部（Ｘ方向の一部であってＹ方向の一部）が押さえナットと重なるようにしているが、本発明はこれに限らない。例えば、第１係止部のＸ方向の全部であってＹ方向の一部が押さえナットと重なるように、或いは、第１係止部のＸ方向およびＹ方向の全部が押さえナットと重なるようにしてもよい。
【００４６】
【発明の効果】
以上詳述したように、本発明による場合には、吊り下げ部材の下端部を主梁部材に連結し、その吊り下げ部材が連結された主梁部材部分の幅方向両側に副梁部材の片方の端部を取付け、第１凹溝内に第１係止部を、第２凹溝内に第２係止部を入れる。かかる状態で、押さえナットを副梁部材の上から締め付けていくと、押さえ具が両第１係止部を下方に押し、第１凹溝内に該当するテーパー面を介して第１係止部を押し込むと共に第２凹溝内に該当するテーパー面を介して第２係止部を押し込んでいく。このとき、各第１係止部の少なくとも一部が押さえナットと重なっているので、締め付け具合に拘わらず、第１凹溝への第１係止部の係止状態と第２凹溝への第２係止部の係止状態とが一定に安定したものとなる。よって、主梁部材と副梁部材との連結状態を確実にすることができる。また、１つの押さえ具で、同時に２つの副梁部材の片側端部それぞれを主梁部材に連結させることができる。
【図面の簡単な説明】
【図１】本発明の第１実施形態に係る天井パネル用梁構造の連結部分を示す正面図である。
【図２】図１の天井パネル用梁構造の連結部分を示す平面図である。
【図３】図１の天井パネル用梁構造を示す分解斜視図である。
【図４】図１の天井パネル用梁構造を構成する副梁部材の端面を示す図である。
【図５】（ａ）は図１の天井パネル用梁構造を構成する副梁部材の端部を示す図であり、（ｂ）はその左側面図である。
【図６】本発明の第２実施形態に係る天井パネル用梁構造の連結部分を示す正面図である。
【図７】図６の天井パネル用梁構造の連結部分を示す平面図である。
【図８】（ａ）は図６の天井パネル用梁構造を構成する副梁部材の端部を示す図であり、（ｂ）はその左側面図である。
【図９】従来の天井パネル用梁構造を示す分解斜視図である。
【図１０】（ａ）は従来の天井パネル用梁構造を示す正面図であり、（ｂ）は（ａ）のＡ部分を拡大して示す図である。
【符号の説明】
１　天井パネル用梁構造
２　天井パネル
１０　吊り下げ部材
１１　棒状部材
１１ａ　ねじ
１２　押さえナット
１３　連結用ナット
１４　押さえ具
１４ａ　垂下部
２０　主梁部材
２３ａ　上端面
２４　貫通長孔
２５　第１凹溝
２６　第２凹溝
３０　副梁部材
３１　端部
３６　閉塞断面
３７　第２係止部
３８　第１係止部
４０　主梁部材
５０　押さえ具
５１　凸部
６０　副梁部材
６２　凸部
６３　端部
【図１】
2004076339.tif 000003
【図２】
2004076339.tif 000004
【図３】
2004076339.tif 000005
【図４】
2004076339.tif 000006
【図５】
2004076339.tif 000007
【図６】
2004076339.tif 000008
【図７】
2004076339.tif 000009
【図８】
2004076339.tif 000010
【図９】
2004076339.tif 000011
【図１０】
2004076339.tif 000012